(57)【特許請求の範囲】
【請求項１】
折り畳んで運搬可能なシート状部材からなる工具収納体であって、
中央収納部並びに当該中央収納部を挟んで両側に一体に設けられた第１及び第２の側部収納部を含む収納体と、
同一方向に開口し、前記収納体の一側の面を工具収納面として前記各収納部に設けられた複数の工具入れと、
前記工具入れの開口側の端縁で当該収納体に第１の連結手段を介して連結された補助体と、
前記収納体の前記第１及び第２の側部収納部と前記中央収納部を、前記工具収納面を内側にして折り込み、前記折り込まれた収納体に前記補助体を沿わせて前記収納体を包み込むように折り畳んだときには前記補助体の両側を連結し、前記第１の連結手段を鞄に掛けて前記中央収納部と前記補助体を前記鞄の一側の面と他側の面に沿わせて装着するときには前記補助体と前記第１及び第２の側部収納部を連結する第２の連結手段と、
を備えていることを特徴とする工具収納体。
【請求項２】
請求項１記載の工具収納体であって、
前記第１及び第２の側部収納部と前記中央収納部の折り込みは、前記第１及び第２の側部収納部を前記中央収納部との境界部で前記工具収納面を内側にして前記中央収納部側に折り、さらに中央収納部の中央部で前記工具収納面が対向するようにして折ることにより行い、
前記補助体の折り畳みは、前記補助体を前記折られた収納体の反工具収納面側に当てて当該折られた収納体の側部から出た部分を当該折られた収納体を包むようにして折り畳むことにより行い、
前記鞄へ装着は、前記一側の面と他側の面が当該鞄を持ったときに運搬者側の面とその反対側の面であり、前記第１及び第２の側部収納部を、前記工具収納面を外側にして前記鞄の側面に沿うように折ることにより行うこと
を特徴とする工具収納体。
【請求項３】
請求項１又は２記載の工具収納体であって、
前記補助体の前記第１の連結手段によって連結される側とは逆側に設けられ、前記収納体の前記工具入れの開口側とは逆側の端縁と連結可能な第３の連結手段を備えていること
を特徴とする工具収納体。
【請求項４】
請求項１ないし３のいずれか１項に記載の工具収納体であって、
前記中央収納部、前記第１及び第２の側部収納部には、前記工具入れの開口を覆う蓋部が設けられていること
を特徴とする工具収納体。
【請求項５】
請求項１ないし４のいずれか１項に記載の工具収納体であって、
前記補助体が内部に収納部が形成された袋体からなり、当該袋体の前記第１の連結手段取り付け側の端縁部に開口が設けられていること
を特徴とする工具収納体。
【請求項６】
請求項５記載の工具収納体であって、
前記開口には当該開口を閉止する閉止手段が設けられていること
を特徴とする工具収納体。
【請求項７】
請求項１ないし６のいずれか１項に記載の工具収納体であって、
前記収納体を包むように折り畳んだとき、前記第１の連結手段は取手となること
を特徴とする工具収納体。
【請求項８】
請求項１ないし７のいずれか１項に記載の工具収納体であって、
前記第１の連結手段は鞄の持ち手が通過可能な空間を隔てて設けられた一対のベルトからなること
を特徴とする工具収納体。
【請求項９】
請求項１ないし７のいずれか１項に記載の工具収納体であって、
前記第１の連結手段は作業者の頭部が通過可能な空間を隔てて設けられた一対のベルトからなり、
当該ベルトの間に作業者の頭部を通して前記収納体を作業者の前側に、前記補助体を作業者の背面側に配置し、前記ベルトを作業者の両肩に掛け、前記第２の連結手段によって前記作業者の身体に沿って前記補助体と前記第１及び第２の側部収納部を連結して作業者に装着すること
を特徴とする工具収納体。
【請求項１０】
請求項１ないし９のいずれか１項に記載の工具収納体であって、
前記第２の連結手段が、前記補助体の両側を連結するときに対向する端縁、及び前記補助体と前記第１及び第２の側部収納部を連結するときに対向する前記第１及び第２の側部収納部の端縁にそれぞれ設けられた対となる複数の留め具からなること
を特徴とする工具収納体。
【請求項１１】
請求項１０記載の工具収納体であって、
前記対となる留め具の一方はベルトに設けられていること
を特徴とする工具収納体。
【請求項１２】
請求項１１記載の工具収納体であって、
前記ベルトの長さを調整する長さ調整手段を備えていること
を特徴とする工具収納体。
【請求項１３】
請求項１ないし１２のいずれか１項に記載の工具収納体であって、
前記中央収納部、前記第１及び第２の側部収納部、前記補助体が方形に形成されていること
を特徴とする工具収納体。
【請求項１４】
請求項１３記載の工具収納体であって、
前記第１及び第２の側部収納部の前記中央収納部への連続部の前記第１の連結手段の連結側の端部に、前記前記第１及び第２の側部収納部の前記連結側の縁部が前記中央収納部の同側の縁部から後退した段差が設けられていること
を特徴とする工具収納体。
【発明の詳細な説明】
【技術分野】
【０００１】
本発明は工具収納体に係り、さらに詳しくはペンチ、ドライバなど複数の工具あるいは道具を整理収納する工具収納体に関する。
【背景技術】
【０００２】
種々の機器などの保守、点検、修理などを行う際、ペンチ、ドライバなど複数の工具あるいは道具（以下、「工具等」とも称す。）を使用するが、前記工具等を収納運搬する手段として、身体装着型のものと補助鞄型のものが知られている。前者は例えば工具収納用のポケットを多数設け、工具を当該ポケットに収納した状態で身に纏うことができるようにしたものである（例えば、特許文献１，２，３参照）。後者は物品を収納可能な袋体が鞄の外側の両面の外側に位置するように鞄の提げ手側から装着し、袋体と一体の１つの鞄として使用できるようにしたものである。（例えば特許文献４，５参照）。
【先行技術文献】
【特許文献】
【０００３】
【特許文献１】実開昭５１−１３０２０９号公報
【特許文献２】実開昭５２−１１７０２２号公報
【特許文献３】実用新案登録３１５９５４７号公報
【特許文献４】実開昭５０−０３１１１２号公報
【特許文献５】実開平０２−０９８７１４号公報
【発明の概要】
【発明が解決しようとする課題】
【０００４】
特許文献１，２，３に記載された身体装着型の工具収納体は、工具等を収納した状態で作業者が衣服の上から着込むことができるようにしたものであるが、この型式の工具収納体は、作業時以外は折り畳まれて運搬される。そのため、作業者がその他の使用品を運搬するために用意した作業鞄の収納容量を超えた場合は、作業鞄内部に収納不可能となる。このような場合には、作業者は、工具等を収納した工具収納体を作業者自身の身体に装着したまま、作業鞄を持って運搬するか、工具等を収納した工具収納体を小さく折り畳み、作業鞄と別に運搬する必要がある。いずれにしても作業者の荷物運搬作業の負担が増大する。
【０００５】
一方、特許文献４，５に記載された補助鞄型の工具収納体では、小型に折り畳むことができないので、作業鞄内部に余裕がある場合でも、常に鞄の外側に装着し続けなければない。そのため、運搬時に鞄の両側に張り出しが大きくなり、取り扱いに不便さを生じていた。
【０００６】
そこで、本発明が解決しようとする課題は、作業者の荷物運搬作業の負担を軽減し、工具収納体の取り扱いを容易とすることにある。
【課題を解決するための手段】
【０００７】
前記課題を解決するため本発明は、折り畳んで運搬可能なシート状部材からなる工具収納体であって、中央収納部並びに当該中央収納部を挟んで両側に一体に設けられた第１及び第２の側部収納部を含む収納体と、同一方向に開口し、前記収納体の一側の面を工具収納面として前記各収納部に設けられた複数の工具入れと、前記工具入れの開口側の端縁で当該収納体に第１の連結手段を介して連結された補助体と、前記収納体の前記第１及び第２の側部収納部と前記中央収納部を、前記工具収納面を内側にして折り込み、前記折り込まれた収納体に前記補助体を沿わせて前記収納体を包み込むように折り畳んだときには前記補助体の両側を連結し、前記第１の連結手段を鞄に掛けて前記中央収納部と前記補助体を前記鞄の一側の面と他側の面に沿わせて装着するときには前記補助体と前記第１及び第２の側部収納部を連結する第２の連結手段と、を備えたことを特徴とする。
【発明の効果】
【０００８】
本発明によれば、作業者の荷物運搬作業の負担を軽減し、工具収納体の取り扱いを容易とすることができる。
【図面の簡単な説明】
【０００９】
【図１】本発明の一実施形態に係る工具収納体としての工具収納袋の工具等の収納状態を示す正面図である。
【図２】図１における工具収納袋の蓋を全て閉じた状態を示す図である。
【図３】本発明の実施形態における工具収納袋の折り畳み手順を示す説明図で、折り畳み前の状態を示す。
【図４】図３の状態から左側収納部を折り畳んだ状態を示す図である。
【図５】図４の状態から右側収納部を折り畳んだ状態を示す図である。
【図６】図５の状態から中央工具収納部を折り畳んだ状態を示す図である。
【図７】図６の状態から工具収納部と自由収納部を重ねた状態を示す図である。
【図８】図７の状態から手提げできるように小さく折り畳んだ状態を示す図である。
【図９】本発明の実施形態における工具収納袋を装着する作業鞄の斜視図である。
【図１０】図９に示した作業鞄に工具収納袋を被せたときの状態を示す図である。
【図１１】図１０の状態から工具収納袋の右側収納部を自由収納部に固定するときの装着動作を示す図である。
【図１２】図１１の状態から工具収納袋の左側収納部を自由収納部に固定するときの装着動作を示す図である。
【図１３】図１２の状態から下部固定ベルトを作業鞄の下側に回すときの動作を示す図である。
【図１４】図１３の状態から下部固定ベルトを作業鞄の下部に掛け渡して固定するときの装着動作を示す図である。
【図１５】図１４の状態から作業鞄を六方から包み込み、作業鞄への工具収納袋の装着を完了したときの状態を示す図である。
【図１６】図３の状態から工具を自由収納部から取り出し、中央工具収納部に設けられた第２の工具入れに移し替えるときの状態を示す図である。
【発明を実施するための形態】
【００１０】
以下、図面を参照し、本発明の実施形態について説明する。
【００１１】
図１は本発明の一実施形態に係る工具収納体としての工具収納袋の工具等の収納状態を示す正面図、図２は工具収納袋の蓋を全て閉じた状態を示す図で、同図（ａ）は正面図、同図（ｂ）は右側面図である。
【００１２】
図１及び図２において、工具収納袋１６は、工具収納部７、自由収納部１０、第１及び第２の運搬用取手兼上部鞄固定ベルト（以下、「上部固定ベルト」と称す。）８ａ，８ｂ並びに第１及び第２の鞄下部固定ベルト（以下、「下部固定ベルト」と称す。）１１ａ，１１ｂから主に構成されている。以下、第１及び第２の上部固定ベルト８ａ，８ｂ、及び第１及び第２の下部固定ベルト１１ａ，１１ｂについては、第１及び第２の２つを区別しない場合にはそれぞれ単に上部固定ベルト８及び下部固定ベルト１１と称する。なお、工具収納部７が請求項にいう収納体であり、自由収納部が補助体である。
【００１３】
工具収納部７は１枚の布体からなり、中央に中央工具収納部４、右側に右側収納部５、左側に左側収納部６がそれぞれ形成されている。中央工具収納部４は正面視長方形に形成され、左右の短辺側に方形の右側収納部５及び左側収納部６が中央工具収納部７に対して折り畳み可能に一体に形成されている。右側及び左側収納部５，６は中央工具収納部４の接続部で図示高さ方向が小寸に形成され、それぞれ段差２０Ｂ，２０Ａが設けられている。中央工具収納部４の上辺４ｕには図２にも示すように中央工具収納部４の前面を覆う第１の蓋２Ａが設けられ、右側及び左側収納部５，６の上辺５ｕ，６ｕには右側及び左側収納部５，６の前面を覆うための第２及び第３の蓋２Ｂ，２Ｃがそれぞれ設けられている。
【００１４】
これら第１ないし第３の蓋２Ａ，２Ｂ，２Ｃは、それぞれシート状の部材で中央工具収納部４、右側収納部５、左側収納部６の外形とほぼ同一の矩形形状に形成されている。第１ないし第３の蓋２Ａ，２Ｂ，２Ｃは、それぞれ上辺４ｕ，５ｕ，６ｕから工具入れ１Ａ側に向けて垂れ下がり、図２に示すように蓋として機能する。
【００１５】
なお、本実施形態では、図１に示す状態では、工具入れ１Ａに収納された工具はいずれも上方に向かって取り出されるため、上方に位置する辺を上辺と称している。自由収納部１０では、後述するように折り畳み時及び鞄装着時には、第１及び第２の上部固定ベルト８ａ，８ｂが上方に位置し、自由収納部１０の位置が図１の状態とは上下逆になるので、図１において自由収納部１０の下側の辺が上辺１０ｕとなる。以下、上下は折り畳み時及び鞄装着時を基準とする。また、工具入れは図１から分かるように中央工具収納部４、右側収納部５及び左側収納部６ともに工具収納部７の同一面である工具収納面７Ｃ上に設けられている。
【００１６】
中央工具収納部４、右側及び左側の収納部５，６には、工具入れ１Ａが複数個並列に設けられている。中央工具収納部４には、複数の第１の工具入れ１Ａの下部を覆う横長の第２の工具入れ１Ｂが設けられている。第１の蓋２Ａは図１にも示すように中央工具収納部４の工具入れ１Ａに整然と入れられた工具１の上から蓋し、第２及び第３の蓋２Ｂ，２Ｃは右側及び左側収納部５，６の工具入れ１Ａに入れられた工具１の上から蓋することにより、運搬時の工具落下を防ぐようになっている。工具入れ１Ａはそれぞれ大きさや形状が収納される工具１に合わせて異なり、複数の工具をそれぞれ個別に収納可能である。それぞれの工具入れ１Ａには、工具１を出し入れするための工具収納口１Ａｏが開口しており、この工具収納口１Ａｏから出し入れする工具１の出し入れ方向は同じ向きに揃えられている。この向きは、後述するが折り畳んだとき、及び作業鞄に装着したとき、いずれも上向きに開口しており、工具１の出し入れ方向は上下方向（重力に対して）である。
【００１７】
中央工具収納部４の外面下側の左右には、第１及び第２のボタン３Ａ，３Ｂが、右側収納部５の外面端部の上下には第３及び第４のボタン３Ｃ，３Ｄが、左側収納部６の外面端部の上下には第５及び第６のボタン３Ｅ，３Ｆがそれぞれ設けられている。いずれも工具収納部７の折り畳んだときに外面となる面の外縁部に沿った位置に配置されている。
【００１８】
自由収納部１０は一対の第１及び第２の上部固定ベルト８ａ，８ｂによって中央工具収納部４の上辺４ｕ側と連結されている。自由収納部１０は上辺１０ｕに開口部１０ｏを有する袋状に形成され、書類、部品、その他工具９を収納することができる。開口部１０ｏには、落下防止ファスナ１４が設けられ、工具収納後に開口部１０ｏを閉止することが可能となっている。自由収納部１０は、図８に示した折り畳み状態１５のときに工具収納部７を外側から包むためのカバーとしても機能する。なお、自由収納部１０は、本実施形態では工具収納可能に構成されているが、単なる１枚の布状体であってもよい。
【００１９】
自由収納部１０の上部固定ベルト８の取り付け側とは逆側（図において上側）の左右には第１及び第２の一対の下部固定ベルト１１ａ，１１ｂが取り付けられ、自由収納部１０の右側及び左側の端部には第１及び第２の一対の鞄右側固定兼折り畳み固定ベルト（以下、「右側固定ベルト」とも称す。）１２ａ，１２ｂ及び同じく第１及び第２の一対の鞄左側固定兼折りたたみ固定ベルト（以下、「左側固定ベルト」とも称す。）１３ａ，１３ｂが上下に取り付けられている。第１及び第２の下部固定ベルト１１ａ，１１ｂの端部にはそれぞれ第７及び第８のボタン３ａ，３ｂが設けられている。以下、第１及び第２の右側固定ベルト１２ａ，１２ｂ、及び第１及び第２の左側固定ベルト１３ａ，１３ｂについては、第１及び第２の２つを区別しない場合にはそれぞれ単に右側固定ベルト１２及び左側固定ベルト１３と称する。
【００２０】
また、第１の右側固定ベルト１２ａには第９及び第１３のボタン３ｃ，３ｇが、第２の右側固定ベルト１２ｂには第１０及び第１４のボタン３ｄ，３ｈが、第１の左側固定ベルト１３ａには第１１のボタン３ｅが、第２の左側固定ベルト１３ｂには第１２のボタン３ｆがそれぞれ設けられている。なお、第９のボタン３ｃは第１３のボタン３ｇよりも自由収納部１０側に、第１０のボタン３ｄは第１４のボタン３ｈよりも自由収納部１０側に配置されている。これら第１ないし第６のボタン３Ａ〜３Ｆ、第７ないし第１４のボタン３ａ〜３ｈ、第１及び第２の鞄下部固定ベルト１１ａ，１１ｂ、第１及び第２の右側固定ベルト１２ａ，１２ｂ、及び第１及び第２の左側固定ベルト１３ａ，１３ｂは、図８に示す小型に折り畳む場合に使用されると共に、図１５に示す作業鞄１７の外側に装着するときに使用される。
【００２１】
第１及び第２の上部固定ベルト８ａ，８ｂは、前述のように自由収納部１０の上辺１０ｕと工具収納部７における中央工具収納部４の上辺４ｕとを連結している。これらの第１及び第２の上部固定ベルト８ａ，８ｂは、両者間に空間３６を形成するように互いに所定距離を隔てて配置されている。なお、本実施形態では上部固定ベルト８を第１及び第２の２本のベルトで構成しているが、中央工具収納部４及び自由収納部１０のそれぞれの上辺４ｕ，１０ｕの中央部に空間３６が形成される所定の間隔が設けられていれば２本以上であってもよく、あるいは中央部に前記空間３６が形成された１枚の布体であってもよい。
【００２２】
このように構成された工具収納袋１６は袋単独で小さく折り畳むことができる。また、作業鞄の外側に装着することもできる。さらには、作業者の身体に装着することもできる。以下、これら３つの場合について説明する。
【００２３】
（Ａ）単独で小さく折り畳む折り畳み動作
図３ないし図８は本実施形態における工具収納袋１６の折り畳み手順を示す説明図である。図３は折り畳み前の状態（１）、図４は左側収納部６を折り畳んだ状態（２）、図５は右側収納部を折り畳んだ状態（３）、図６は中央工具収納部４を折り畳んだ状態（４）、図７は工具収納部７と自由収納部１０を重ねた状態（５）、図８は手提げできるように小さく折り畳んだ状態（６）をそれぞれ示す。
【００２４】
（１）折り畳み前（初期状態）
図３は工具収納袋１６の折り畳み前の状態（初期状態）１９を示す図である。初期状態では、工具収納袋１６は、複数の工具１が各工具入れ１Ａにそれぞれ収納され、工具１は第１ないし第３の蓋２Ａ，２Ｂ，２Ｃでカバーされ、工具収納部７の工具入れ１Ａに入らないその他の工具９が自由収納部１０に収納されている。
【００２５】
（２）左側収納部の折り畳み
図３に示した折り畳み前の状態１９から、図４に示すように工具１Ａが工具入れ１Ａに収納された状態で左側収納部６は段差２０Ａつまり中央工具収納部４の左辺を中心に中央工具収納部４に向けて折り曲げる（矢印２１で示す動作）。これにより左側収納部６が第１の折り畳み状態２２となる。
【００２６】
（３）右側収納部の折り畳み
左側収納部６を折り畳んだ第１の折り畳み状態２２から、図５に示すように工具を収納した状態で右側収納部５を段差２０Ｂつまり中央工具収納部４の右辺を中心に中央工具収納部４に向けて折り曲げる（矢印２３で示す動作）。これにより右側収納部５を折り畳んだ第２の折り畳み状態２４となる。
【００２７】
（４）中央工具収納部の折り畳み
図５に示した第２の折り畳み状態２４から、図６に示すように中央工具収納部４をほぼ中央部で折り曲げる（矢印２５で示す動作）。この矢印２５で示す折り曲げにより右側収納部５及び左側収納部６が中央工具収納部４に内包されるような形になり、正面視（図１）で工具収納部７はほぼ１／４の幅の第３の折り畳み状態２６の工具収納部７Ａとなる。この第３の折り畳み状態は所謂観音四つ折りの状態である。
【００２８】
（５）工具収納部と自由収納部の袋の折り畳み
図６に示した第３の折り畳み状態２６から、図７（ａ）に示すように、自由収納部１０の上辺１０ｕと第３の折り畳み状態２６の工具収納部７Ａの上辺４ｕ、及びそれぞれの上辺１０ｕ，４ｕが対向する自由収納部１０の下辺１０Ａと工具収納部７Ａの下辺７Ｂの位置関係がそれぞれ同じ向きとなるように自由収納部１０と折り畳み状態の工具収納部７Ａを重ねる。このとき、２本の第１及び第２の上部固定ベルト８ａ，８ｂが円弧状となるようにする。そして、自由収納部１０に設けられたファスナ取り付け面１０Ｂ上に乗せて第４の折り畳み状態２７を形成する。その後、自由収納部１０の下部１０Ａの左右に設けられた第１及び第２の下部固定ベルト１１ａ，１１ｂを自由収納部１０のファスナ取り付け面１０Ｂ側に折り曲げる（矢印２８で示す動作）。これにより第１及び第２の下部固定ベルト１１ａ，１１ｂが折り曲げられた図７（ｂ）に示す第５の折り畳み状態２９となる。
【００２９】
（６）工具収納袋の折り畳み
図７（ｂ）に示した第５の折り畳み状態２９から、折り畳み状態の工具収納部７Ａを乗せた自由収納部１０の左側部１０Ｃと右側部１０Ｄを、図８（ａ）及び（ｂ）に示すように工具収納部７Ａを包むように折り曲げる（矢印３０Ａで示す動作及び矢印３０Ｂで示す動作）。次いで、図８（ｃ）に示すように第１の右側固定ベルト１２ａの第９のボタン３ｃ又は第１３のボタン３ｇに第１の左側固定ベルト１３ａの第１１のボタン３ｅを留めて固定し、第２の右側固定ベルト１２ｂの第１０のボタン３ｄ又は第１４のボタン３ｈに第２の左側固定ベルト１３ｂの第１２のボタン３ｆを留めて固定する。これにより、小型に折り畳まれた第６の折り畳み状態（小型折り畳み形態）１５とすることができる。
【００３０】
この第６の折り畳み状態１５とすれば、第１及び第２の上部固定ベルト８ａ，８ｂにより取手３１が構築されるため、作業者が手３２で運搬する際に持ちやすくなるだけでなく、取手３１により上下が明確になるため、上下間違いによる工具１１の落下事故を容易に防止することができる。
【００３１】
（Ｂ）作業鞄の外側に装着する装着動作
図９ないし図１５は本実施形態における工具収納袋１６の作業鞄１７外側への装着手順を示す説明図である。図９は作業鞄の斜視図（１）、図１０は作業鞄の工具収納袋への被せ動作を示す図（２）、図１１は工具収納袋の左側収納部の自由収納部への固定動作を示す図（３）、図１２は工具収納袋の左側収納部の自由収納部への固定動作を示す図（４）、図１３は下部固定ベルトを作業鞄の下側に回す動作を示す図（５）、図１４は下部固定ベルトを作業鞄の下部に掛け渡して固定する動作を示す図（６）、図１５は作業鞄への工具収納袋の装着を完了時の状態を示す図（７）である。
【００３２】
（１）作業鞄（装着前の初期状態）
図９は工具収納袋１６を装着する作業鞄１７の一例の外形を示す斜視図である。作業鞄１７は図９に示すように略直方体形状であって、図において上部３３ａに手掛け部３３が設けられ、手前側の長方形の第１の外面３４ａが運搬者とは反対側（反運搬者側）３４に、図には見えない奥側の長方形の第２の外面３５ａが運搬者側３５となっている。このような作業鞄１７の内部に工具１等の収納空間がなくなった場合、本実施形態に係る工具収納袋１６を使用することができる。
【００３３】
（２）作業鞄の工具収納袋への被せ動作
（１）で述べたように作業鞄１７の内部に工具１等の収納空間がなくなった場合、工具収納袋１６は作業鞄１７の外側に取り付けられるが、その際、工具収納袋１６の作業鞄１７を持つ運搬者の反対側３４の外面３４ａに工具収納部７が、運搬者側３５の外面３５ａに自由収納部１０がそれぞれ位置するように配置する。そして、図１０から分かるように、手掛け部３３の両側に第１及び第２の上部固定ベルト８ａ，８ｂが位置するように、言い換えれば、第１及び第２の上部固定ベルト８ａ，８ｂの間に形成されている空間３６に手掛け部３３が配置されるように作業鞄１７の上部３３ａに上部固定ベルト８が掛け渡された状態とする。
【００３４】
（３）工具収納袋の左側収納部の自由収納部への固定動作
次に、図１１から分かるように、右側収納部５を作業鞄１７の図９に示す手前側の側面（反運搬者側３４から見て右側面）３８に当てるようにして回し込み、右側収納部５の第３のボタン３Ｃに対し第１の右側固定ベルト１２ａの第９のボタン３ｃ又は第１３のボタン３ｇを留めて固定する。同様に、右側収納部５の第４のボタン３Ｄに対し第２の右側固定ベルト１２ｂの第１０のボタン３ｄ又は第１４のボタン３ｈを留めて固定する。これにより右側収納部５が作業鞄１６の一側の側面３８に装着される。なお、いずれのボタンを留めるかは、作業鞄１７の外周寸法と工具収納袋１６のサイズ、左右の固定ベルト１２，１３の長さに応じて選択される。ボタンとして後述の面状ファスナを使用した場合には、運搬者が工具収納袋１６を装着するときに任意に固定長を調整することができる。
【００３５】
（４）工具収納袋の左側収納部の自由収納部への固定動作
さらに、図１２から分かるように、左側収納部６を作業鞄１７の図９に示す奥側の側面３９に当てるようにして回し込み、左側収納部６の第５のボタン３Ｅに対し第１の左側固定ベルト１３ａの第１１のボタン３ｅを留めて固定する。同様に、左側収納部６の第６のボタン３Ｆに対し第２の左側固定ベルト１３ｂの第１２のボタン３ｆを留めて固定する。これにより、工具収納部７と自由収納部１０で作業鞄１７を包み込む。
【００３６】
（５）下部固定ベルトを作業鞄の下側に回す動作
その後、図１３に示すように自由収納部１０に設けた下部固定ベルト１１を作業鞄１７の下部３７に回す。
【００３７】
（６）下部固定ベルトを作業鞄の下部に掛け渡して固定する動作
下部固定ベルト１１を作業鞄１７の下部３７に回した後、図１４から分かるように工具収納部７側に掛け渡す。そして、第１の下部固定ベルト１１ａの第７のボタン３ａを中央工具収納部４の第１のボタン３Ａに、第２の下部固定ベルト１１ｂの第８のボタン３ｂを中央工具収納部４の第２のボタン３Ｂにそれぞれ留めて固定する。
【００３８】
（７）作業鞄への工具収納袋の装着を完了
これにより、図１５から分かるように、作業鞄１７を六方（六面側）から包み込むことができる。この状態が工具収納袋１６の作業鞄１７への装着完了状態１８である。
【００３９】
工具収納袋１６には右側収納部５及び左側収納部６の上辺が中央工具収納部４の上辺４ｕよりも後退した段差２０Ａ，２０Ｂが設けてあるため、作業鞄１７の側面３８に図示しない肩掛け紐が存在する鞄であっても取り付けることが可能である。その他に、装着完了状態１８において自由収納部１０に収納したその他の工具９等が作業鞄１７を持つ作業者に接触し、作業者が違和感を覚える場合は、図１６（ａ）に示すように工具９を自由収納部１０から取り出し、図１６（ｂ）に示すように中央工具収納部４に設けられた第２の工具入れ１Ｂに入れることもできる。
【００４０】
また、第２の工具入れ１Ｂの使用方法として、工具１等の収納状態に応じて第１ないし第３の蓋２Ａ，２Ｂ，２Ｃを当該工具入れ１Ｂに差し込んで前記（Ａ）のようにして工具収納袋１６を折り畳むこともできる。
【００４１】
（Ｃ）作業者の身体に装着する装着動作
さらに、上部固定ベルト８、下部固定ベルト１１、右側固定ベルト１２、及び左側固定ベルト１３に長さ調節機能を設ければ、大きさが異なる作業鞄１７の外側に工具収納袋１６を装着することができる。長さ調整機構としては、ベルト自体に設けることも可能であるが、ボタンに代えて面状ファスナとし、面状ファスナによって長さ調整可能とすることもできる。
【００４２】
さらに、図１６（ｂ）に示すように第１及び第２の上部固定ベルト８ａ，８ｂによって形成される空間３６に作業者Ｍの頭Ｈを通し、作業者Ｍの胸部あるいは腹部に中央工具収納部４位置するようにすると、作業者Ｍにゼッケンのようにして装着することが可能である。
【００４３】
このように本実施形態に係る工具収納袋１６を作業者Ｍに装着する際には、
（１）自由収納部１０が作業者Ｍの背部に位置するように、工具収納部７が作業者Ｍの胸部あるいは腹部側に位置するようにして第１及び第２の上部固定ベルト８ａ，８ｂの間の空間３６に頭Ｈを通す。  
（２）図１０の第１段階の動作と同様に第１及び第２の上部固定ベルト８ａ，８ｂを肩に掛け渡した状態とする。  
（３）図１１ないし図１３に示した第２及び第３段階の装着手順と同様の手順で工具収納部７を自由収納部１０に留めて固定する。  
という手順で簡単に装着することができる。
【００４４】
このようにして工具袋１６を作業者Ｍの身体部に装着すると、作業者Ｍは工具収納袋１６を装着した状態で工具収納部７に収納された工具１，９を取り出して作業し、作業終了後収納することができる。
【００４５】
以上のように説明したように本実施形態によれば、以下のような効果を奏する。 
［１］工具収納袋１６を複数の工具１，９が第１の工具入れ１Ａあるいは自由収納部１０に収納された状態で運搬する場合、右側収納部５及び左側収納部６を中央工具収納部４側に折り曲げ、その状態でさらに中央工具収納部４を折り畳み、上部固定ベルト８で接続された自由収納部１０によって包み、自由収納部１０に設けられた右側固定ベルト１２と左側固定ベルト１３とをボタンによって留め、固定することによって小型形状に折り畳むことができる。これにより、作業者Ｍの荷物運搬作業の負担を軽減し、工具収納袋１６の取り扱いを容易とすることができる。
【００４６】
［２］小型形状に折り畳んだとき、工具収納部７は第１の工具入れ１Ａの工具収納口１Ａｏから出し入れする工具１の出し入れ方向が同じ向き（上向き）に揃えられており、自由収納部１０と工具収納部７の中央工具収納部４の上辺１０ｕ，４ｕ同士を上部固定ベルト８により連結しているので、上部固定ベルト８側に工具１の収納、挿入方向の向きが揃った状態で工具１は収納される。このため右側収納部５、左側収納部６、及び中央工具収納部４を折り畳む際に工具１が引っ掛かることがない。また、工具収納袋１６を折り畳んだときに上部固定ベルト８の位置が、工具１を第１の工具入れ１Ａから取り出す方向に一致するので、工具収納袋１６を逆さに持ったとしても、工具１が第１の工具入れ１Ａから抜け落ちるのを防止することができる。
【００４７】
［３］上部固定ベルト８を取手として機能させ、運搬者が取手を持って運搬するとき、工具収納部７に収納されたそれぞれの工具１は重力により工具収納部７の第１の工具入れ１Ａの奥側に入る方向の力を受けるため、工具１の抜け落ちを確実に防止することができる。さらに、万一誤って天地逆に工具収納袋１６を持ったとしても、第１ないし第３の蓋２Ａ，２Ｂ，２Ｃ、及びファスナ１４が工具１の上から工具収納口１Ａｏを覆っているので、工具１の脱落を気にすることなく安全に工具１を運搬することができる。
【００４８】
［４］右側収納部５、左側収納部６及び中央工具収納部４を折り畳んだ後に自由収納部１０で包み、右側固定ベルト１２と左側固定ベルト１３を接続することによって運搬時の小型化を図ることができる。同時に、上部固定ベルト８が取手として機能する構造となっているので、例えば小さくたたんで鞄に入れれば工具格納空間を最小限に抑えることができ、また鞄の中に入らなかった際には手提げ袋のように運搬することもできる。また、右側収納部５、左側収納部６及び中央工具収納部４に収納された工具１には第１ないし第３の蓋２Ａ，２Ｂ，２Ｃが掛けられている上、自由収納部１０によってカバーのように包まれるため、工具収納袋１６に触れても工具１がゴツゴツと当たって痛みを感じることも、あるいは不快感を感じることもない。さらに、作業鞄の内部に収納した場合でも、他の鞄内収納物と直接接触することがないので、他の鞄内収納物への加傷を極力抑えることができる。加えて、外部から力が加わり工具１が破損する可能性もきわめて低くなる。
【００４９】
［５］折り畳み時に工具入れ１Ａに入りきらない工具９などは、縦方向で自由収納部１０に収納しておくことにより折り畳みに問題を生じさせずに収納しておくことができる。また、自由収納部１０の上辺１０ｕ側に開口部１０ｏが設けられているので、小さく折り畳んだ状態であってもファスナ１４を開放し、入りきらない工具９を縦方向で出し入れすることも可能である。
【００５０】
［６］一方、作業鞄１７の外側に装着する場合は、作業鞄１７の運搬者側３５に自由収納部１０が、反鞄運搬者側３４に中央工具収納部４が、反鞄運搬者側３４から見て右側の側面３８に右側収納部５が、左側の側面３９に左側収納部６が位置するように各収納部４，５，６を配置し、作業鞄１７の手掛け部３３を第１及び第２の上部固定ベルト８ａ，８ｂの間に通す。その後に、右側収納部５及び左側収納部６と自由収納部１０を、右側固定ベルト１２及び左側固定ベルト１３を介して接続する。次いで、中央工具収納部４と自由収納部１０を下部固定ベルト１１によって接続すれば、容易に作業鞄１７の外側へ装着することができる。
【００５１】
［７］工具収納空間が作業鞄１７内に確保できない場合には、前記［６］のようにして工具収納袋１６を作業鞄１７の外側に装着すれば、作業鞄１７の収納容量を極限まで活かすことが可能となり、運搬能力の向上を図ることができる。
【００５２】
［８］［７］の場合、工具収納部７は工具入れ１Ａの工具収納口１Ａｏから出し入れする工具１の出し入れ方向が同じ向きに揃えられており、自由収納部１０と中央工具収納部４の上辺１０ｕ，４ｕ同士を上部固定ベルト８により連結しているので、作業鞄１７の外面に工具収納袋１６を装着した際に、作業鞄１７の上方に向かって工具１を出し入れする方向が揃う。これにより、工具収納袋１６を装着した後に工具１が第１の工具入れ１Ａから抜け落ちてしまうことを防ぐことができる。
【００５３】
［９］また、作業鞄１７の反運搬者側３４の外面３４ａを除く非運搬者の側面３８，３９に配置される可能性の高い右側収納部５と左側収納部６は中央工具収納部４の上辺４ｕと段差２０Ａ，２０Ｂが形成された状態で中央工具収納部４の右辺及び左辺に設けられているので、作業鞄１７に工具収納袋１６を装着したときに、作業鞄１７の肩掛け具などと工具収納部７が干渉することがない。
【００５４】
［１０］工具収納部７は工具入れ１Ａの工具収納口１Ａｏから出し入れする工具１の出し入れ方向が同じ向きに揃えられており、中央工具収納部４の上辺４ｕと自由収納部１０の上辺１０ｕとを第１及び第２の上部固定ベルト８ａ，８ｂで連結し、両上部固定ベルト８ａ，８ｂは空間３６を形成するよう所定距離を隔てて配置され、工具収納部７周縁及び自由収納部１０の周縁に複数の右側固定ベルト１２及び左側固定ベルト１３を設けているので、作業者Ｍがゼッケンのように工具収納袋１６を装着することもできる。このようにすることで、さらに工具収納袋１６の利便性を向上させることができる。また、作業者Ｍが装着した際に、上方に向かって工具１の出し入れする方向が揃うことから、装着後に工具１が工具入れ１Ａから抜け落ちてしまうことを極力防ぐことができる。さらに、第１ないし第３の蓋２Ａ，２Ｂ，２Ｃ及びファスナ１４は、作業者Ｍが工具収納袋１６を装着した状態で作業をしているときに、収納された工具１の工具収納袋１６からの脱落を効果的に防止することができる。
【００５５】
なお、本実施形態では工具収納部７周縁に設けられた第１ないし第６のボタン３Ａ〜３Ｆ及び自由収納部１０の周縁に設けられた第７ないし第１４のボタン３ａ〜３ｈと、自由収納部１０の周縁に設けられた下部固定ベルト１１、右側固定ベルト１２及び左側固定ベルト１３によって固定する構成としたが、ボタンには例えばハトメボタンが使用される。また、ハトメボタンに代えて面状ファスナ、スナップフィット、バックルなどの公知の接続部材を使用することができる。
【００５６】
また、本実施形態では、自由収納部１０側に下部固定ベルト１１、右側固定ベルト１２及び左側固定ベルト１３を設け、ボタンを工具収納部７の周縁に配置しているが、逆に、工具収納部７周縁に下側、右側及び左側の各固定ベルトを設け、自由収納部１０の周縁にボタンを配置し、前記固定ベルトと前記ボタンとの組み合わせで両者を接続、固定するようにしてもよい。
【００５７】
あるいは、工具収納部７と自由収納部１０の両者の周縁にそれぞれ固定ベルトを設け、この固定ベルト同士をワンタッチバックルで接続固定するように構成することも可能である。さらに、工具収納部７と自由収納部１０の両者の周縁にそれぞれ紐を設けておき、これらの紐同士を結び合わせるように構成することもできる。
【００５８】
また、本実施形態では中央工具収納部４の大きさと右側収納部５、左側収納部６の大きさを右側収納部５と左側収納部６の両者を合わせた大きさが中央工具収納部４の大きさより略同じかそれより小さくなるように構成されている。これは、中央工具収納部４の中央で折り畳み、所謂観音四つ折りの形とすることにより、小型に折り畳むことができることに加え、作業鞄１７への装着、作業者Ｍへの装着の際にも、前面と後面を結ぶ側面に適合しやすくできるからである。しかし、工具１の収納量を増やすために右側収納部５や左側収納部６の大型化を図ることも可能である。この場合には、右側収納部５及び左側収納部６のそれぞれの大きさを中央工具収納部４の大きさより小さい範囲で大きくすればよい。このようにすることにより、折り畳む際にも作業性を損なうことがない。
【００５９】
なお、特許請求の範囲における工具は実施形態では符号１，９に、工具収納体は工具収納袋１６に、中央収納部は中央工具収納部４に、第１及び第２の側部収納部は右側収納部５及び左側収納部６に、工具収納面は符号７Ｃに、工具入れは第１の工具入れ１Ａあるいは第２の工具入れ１Ｂに、収納体は工具収納部７に、工具入れの開口は１Ａｏに、開口側の端縁は上辺４ｕに、第１の連結手段は第１及び第２の運搬用取手兼上部鞄固定ベルト８ａ，８ｂ若しくは上部固定ベルト８に、補助体は自由収納袋１０に、鞄は作業鞄１７に、運搬者側の面は符号３４ａに、反対側の面は符号３５ａに、第２の連結手段は第１ないし第６のボタン３Ａ〜３Ｆ、第７ないし第１４のボタン３ａないし３ｈ、第１及び第２の鞄右側固定兼折り畳み固定ベルト１２ａ，１２ｂ若しくは右側固定ベルト１２、第１及び第２の鞄左側固定兼折りたたみ固定ベルト１３ａ，１３ｂ若しくは左側固定ベルト１３に、第３の連結手段は第１及び第２の鞄下部固定ベルト１１ａ，１１ｂ若しくは下部固定ベルト１１に、蓋部は第１ないし第３の蓋２Ａ，２Ｂ，２Ｃに、補助体の開口は符号１０ｏに、閉止手段はファスナ１４に、空間は符号３６に、ベルトは上部固定ベルト８に、作業者は符号Ｍに、頭部は符号Ｈに、留め具は第１ないし第６のボタン３Ａ〜３Ｆ、第７ないし第１４のボタン３ａないし３ｈに、段差は符号２０Ａ，２０Ｂに、それぞれ対応する。
【００６０】
さらに、本発明は前述した実施形態に限定されず、本発明の要旨を逸脱しない範囲で種々の変形が可能であり、特許請求の範囲に記載された技術思想に含まれる技術的事項の全てが本発明の対象となる。前記実施形態は、好適な例を示したものであるが、当業者ならば、本明細書に開示の内容から、各種の代替例、修正例、変形例あるいは改良例を実現することができ、これらは添付の特許請求の範囲に記載された技術的範囲に含まれる。
【符号の説明】
【００６１】
１，９  工具
１Ａ  第１の工具入れ
１Ａｏ  工具入れの開口
１Ｂ  第２の工具入れ
２Ａ，２Ｂ，２Ｃ  蓋
３ａ〜３ｈ  ボタン
３Ａ〜３Ｆ  ボタン
４  中央工具収納部
４ｕ  上辺
５  右側収納部
６  左側収納部
７Ｃ  工具収納面
７  工具収納部
８  上部固定ベルト
８ａ  第１の運搬用取手兼上部鞄固定ベルト
８ｂ  第２の運搬用取手兼上部鞄固定ベルト
１０  自由収納袋
１０ｏ  自由収納部の開口
１１  下部固定ベルト
１１ａ  第１の鞄下部固定ベルト
１１ｂ  第２の鞄下部固定ベルト
１２  右側固定ベルト
１２ａ  第１の鞄右側固定兼折り畳み固定ベルト
１２ｂ  第２の鞄右側固定兼折り畳み固定ベルト
１３  左側固定ベルト
１３ａ  第１の鞄左側固定兼折り畳み固定ベルト
１３ｂ  第２の鞄左側固定兼折り畳み固定ベルト
１４  ファスナ
１６  工具収納袋
１７  作業鞄
２０Ａ，２０Ｂ  段差
３４ａ  運搬者側の面
３５ａ  反対側の面
３６  空間
Ｈ  頭部
Ｍ  作業者
【図１】
0005514793.tif 000002
【図２】
0005514793.tif 000003
【図３】
0005514793.tif 000004
【図４】
0005514793.tif 000005
【図５】
0005514793.tif 000006
【図６】
0005514793.tif 000007
【図７】
0005514793.tif 000008
【図８】
0005514793.tif 000009
【図９】
0005514793.tif 000010
【図１０】
0005514793.tif 000011
【図１１】
0005514793.tif 000012
【図１２】
0005514793.tif 000013
【図１３】
0005514793.tif 000014
【図１４】
0005514793.tif 000015
【図１５】
0005514793.tif 000016
【図１６】
0005514793.tif 000017